(57)【特許請求の範囲】
【請求項１】
放射線画像を検出する放射線検出器、前記放射線検出器の駆動用の電力を供給すると共に充電可能に構成された内蔵電源、検出された前記放射線画像を示す放射線画像情報を外部装置に送信する無線通信部、及び、外部装置に接続するケーブルに設けられた外部接続コネクタが接続される有線接続用の第１接続部を備えた放射線画像撮影装置と、
前記外部接続コネクタと形状及び寸法の仕様を同一としたコネクタを有し、前記第１接続部に接続可能に構成された第２接続部、当該第２接続部が前記第１接続部に接続された状態で前記放射線検出器への駆動用の電力の供給と前記内蔵電源への充電用の電力の供給の少なくとも一方を行う電力供給電源、及び前記電力供給電源から前記放射線検出器への駆動用の電力の供給／非供給を切り替える切替手段を備えた接続装置と、
を有する放射線画像撮影システム。
【請求項２】
前記第１接続部は、データ通信を行うために設けられた有線接続用の接続部である
請求項１記載の放射線画像撮影システム。
【請求項３】
前記接続装置は、ユーザにより操作される操作部を備え、
前記切替手段は、前記操作部の状態に応じて電力の供給／非供給を切り替える
請求項１または請求項２記載の放射線画像撮影システム。
【請求項４】
前記放射線画像撮影装置は、前記接続装置が接続されており、かつ前記内蔵電源の残電力量が第１閾値以下の場合、前記接続装置に給電要求を送信し、前記残電力量が前記第１閾値より大きな第２閾値以上の場合、前記接続装置に給電停止要求を送信する送信手段を更に備え、
前記接続装置は、前記放射線画像撮影装置から前記給電要求を受信した場合、前記電力供給電源から前記放射線検出器への駆動用の電力の供給と前記内蔵電源への充電用の電力の供給の少なくとも一方を行い、前記放射線画像撮影装置から前記給電停止要求を受信した場合、当該電力の供給を停止させるように制御する制御手段を更に備える
請求項１乃至３のいずれか１項記載の放射線画像撮影システム。
【請求項５】
前記接続装置は、前記電力供給電源の残電力量が閾値以上の場合、前記電力供給電源から前記放射線検出器への駆動用の電力の供給と前記内蔵電源への充電用の電力の供給の少なくとも一方を行うように制御する制御手段を更に備える
請求項１乃至３のいずれか１項記載の放射線画像撮影システム。
【請求項６】
前記切替手段は、前記接続装置の前記第１接続部に対する接続方向に応じて前記放射線検出器への駆動用の電力の供給／非供給を切り替える
請求項１乃至５のいずれか１項記載の放射線画像撮影システム。
【請求項７】
前記接続装置は、予め定められた情報を表示するための表示手段をさらに備える
請求項１乃至６のいずれか１項記載の放射線画像撮影システム。
【請求項８】
前記接続装置は、前記第１接続部に接続されている際に当該接続部位周辺の密閉性を有する
請求項１乃至７のいずれか１項記載の放射線画像撮影システム。
【請求項９】
放射線画像を検出する放射線検出器、前記放射線検出器の駆動用の電力を供給すると共に充電可能に構成された内蔵電源、検出された前記放射線画像を示す放射線画像情報を外部装置に送信する無線通信部、及び、外部装置に接続するケーブルに設けられた外部接続コネクタが接続される有線接続用の第１接続部を備えた放射線画像撮影装置に接続される接続装置であって、
前記放射線画像撮影装置の当該第１接続部に接続可能に構成された第２接続部と、
前記外部接続コネクタと形状及び寸法の仕様を同一としたコネクタを有し、当該第２接続部が前記第１接続部に接続された状態で前記放射線検出器への駆動用の電力の供給と前記内蔵電源への充電用の電力の供給の少なくとも一方を行う電力供給電源と、
前記電力供給電源から前記放射線検出器への駆動用の電力の供給／非供給を切り替える切替手段と、
を備えた接続装置。
【請求項１０】
前記放射線画像撮影装置から給電要求を受信した場合、前記電力供給電源から前記放射線検出器への駆動用の電力の供給と前記内蔵電源への充電用の電力の供給の少なくとも一方を行い、前記放射線画像撮影装置から給電停止要求を受信した場合、当該電力の供給を停止させるように制御する制御手段を更に備える
請求項９記載の接続装置。
【請求項１１】
コンピュータを、
放射線画像を検出する放射線検出器、前記放射線検出器の駆動用の電力を供給すると共に充電可能に構成された内蔵電源、及び検出された前記放射線画像を示す放射線画像情報を外部装置に送信する無線通信部を備えた放射線画像撮影装置に設けられた、外部装置に接続するケーブルに設けられた外部接続コネクタが接続される有線接続用の第１接続部に、接続装置に設けられた、前記外部接続コネクタと形状及び寸法の仕様を同一としたコネクタを有する第２接続部が接続されたことを検出する検出手段と、
前記検出手段により前記接続装置の第２接続部の接続が検出された場合に、前記放射線検出器への駆動用の電力の供給と前記内蔵電源への充電用の電力の供給の少なくとも一方を行うように制御する制御手段と、
電力供給電源から前記放射線検出器への駆動用の電力の供給／非供給を切り替える切替手段と、
として機能させるためのプログラム。
【請求項１２】
放射線画像を検出する放射線検出器、前記放射線検出器の駆動用の電力を供給すると共に充電可能に構成された内蔵電源、及び検出された前記放射線画像を示す放射線画像情報を外部装置に送信する無線通信部を備えた放射線画像撮影装置に設けられた、外部装置に接続するケーブルに設けられた外部接続コネクタが接続される有線接続用の第１接続部に、接続装置に設けられた、前記外部接続コネクタと形状及び寸法の仕様を同一としたコネクタを有する第２接続部が接続されたことを検出する検出ステップと、
前記検出ステップにより前記接続装置の第２接続部の接続が検出された場合に、前記放射線検出器への駆動用の電力の供給と前記内蔵電源への充電用の電力の供給の少なくとも一方を行うように制御する制御ステップと、
電力供給電源から前記放射線検出器への駆動用の電力の供給／非供給を切り替える切替ステップと、
を備えた接続装置の給電方法。
【発明の詳細な説明】
【技術分野】
【０００１】
本発明は、放射線画像撮影システム、接続装置、プログラム及び接続装置の給電方法に係り、特に、駆動用の内蔵電源および有線接続用の接続部を備えた放射線画像撮影装置を有する放射線画像撮影システム、当該放射線画像撮影装置の前記有線接続用の接続部に接続される接続装置、当該放射線画像撮影装置または前記接続装置において実行されるプログラム、及び当該接続装置の給電方法に関する。
【背景技術】
【０００２】
従来、可搬型の放射線画像撮影装置は、内蔵された放射線検出器等に対して駆動用の電力を供給する充電可能な内蔵電源が設けられているものが多い。
【０００３】
ところで、この種の放射線画像撮影装置では、１台の装置によって複数枚の撮影を連続的に行う場合が多いが、放射線画像撮影装置の放射線検出器等の構成品は消費電力が比較的多いため、内蔵電源による電力供給のみでは、比較的少ない枚数の撮影しか行うことができない、という問題点があった。なお、この問題点は、特に、回診車を用いて複数箇所での撮影を行う場合に問題視される。
【０００４】
この問題点に対処するために、内蔵電源を交換可能に構成すると共に、複数の充電された内蔵電源を用意しておき、使用している内蔵電源の残電力量が撮影不可の量まで低下した場合に他の電源に入れ替える方法も考えられるが、この場合は、複数の内蔵電源を用意しておく必要があり、放射線画像撮影システムとしての可搬性が低減してしまう、という新たな問題点が生じてしまう。
【０００５】
これに対し、放射線画像撮影装置への給電を容易に行えるようにする技術として、例えば特許文献１には、データコネクタ用のインターフェースポートと入力電源コネクタ用のインターフェースポートとが設けられた放射線画像撮影装置と、この放射線画像撮影装置のインターフェースポートに着脱可能なサポートトレイとが開示されている。データコネクタ用のインターフェースポートは有線通信を行うことができるものである一方、サポートトレイは、放射線画像撮影装置に電力を供給するための電源となりかつ放射線画像撮影装置の内蔵電源の充電電力を供給することが可能なバッテリを備えている。
【先行技術文献】
【特許文献】
【０００６】
【特許文献１】特開２０１０−２１４１０９号公報
【発明の概要】
【発明が解決しようとする課題】
【０００７】
特許文献１に開示されている技術では、サポートトレイに装着することにより放射線画像撮影装置への給電は可能となるものの、この場合はサポートトレイを用いる必要があるので、この場合も放射線画像撮影システムとしての可搬性が低減してしまう、という問題点があった。
【０００８】
本発明は上記課題に鑑みてなされたものであり、可搬性を損なうことなく、撮影枚数を増加させることができる放射線画像撮影システム、接続装置、プログラム及び接続装置の給電方法を提供することを目的とする。
【課題を解決するための手段】
【０００９】
上記目的を達成するために、本発明に係る放射線画像撮影システムは、請求項１に記載したように、放射線画像を検出する放射線検出器、前記放射線検出器の駆動用の電力を供給すると共に充電可能に構成された内蔵電源、検出された前記放射線画像を示す放射線画像情報を外部装置に送信する無線通信部、及び、外部装置に接続するケーブルに設けられた外部接続コネクタが接続される有線接続用の第１接続部を備えた放射線画像撮影装置と、前記外部接続コネクタと形状及び寸法の仕様を同一としたコネクタを有し、前記第１接続部に接続可能に構成された第２接続部、当該第２接続部が前記第１接続部に接続された状態で前記放射線検出器への駆動用の電力の供給と前記内蔵電源への充電用の電力の供給の少なくとも一方を行う電力供給電源、及び前記電力供給電源から前記放射線検出器への駆動用の電力の供給／非供給を切り替える切替手段を備えた接続装置と、を有している。
【００１０】
請求項１に記載の放射線画像撮影システムによれば、放射線画像を検出する放射線検出器、前記放射線検出器の駆動用の電力を供給すると共に充電可能に構成された内蔵電源、検出された前記放射線画像を示す放射線画像情報を外部装置に送信する無線通信部、及び、外部装置に接続するケーブルに設けられた外部接続コネクタが接続される有線接続用の第１接続部を備えた放射線画像撮影装置の第１接続部に接続可能に構成され、前記外部接続コネクタと形状及び寸法の仕様を同一としたコネクタを有する第２接続部を備えた接続装置により、電力供給電源から第２接続部が第１接続部に接続された状態で前記放射線検出器への駆動用の電力の供給と前記内蔵電源への充電用の電力の供給の少なくとも一方が行われる。また、本放射線画像撮影システムによれば、切替手段により、電力供給電源から放射線検出器への駆動用の電力の供給／非供給が切り替えられる。
【００１１】
これにより、可搬性を損なうことなく、撮影枚数を増加させることができる、という効果を奏する。
また、これにより、接続装置を簡易に製作することができる、という効果を奏する。
【００１２】
また、本発明に係る放射線画像撮影システムにおいて、請求項２に記載したように、前記第１接続部は、データ通信を行うために設けられた有線接続用の接続部であるようにしても良い。
【００１３】
また、本発明に係る放射線画像撮影システムにおいて、請求項３に記載したように、前記接続装置は、ユーザにより操作される操作部を備え、前記切替手段は、前記操作部の状態に応じて電力の供給／非供給を切り替えるようにしても良い。
【００１４】
また、本発明に係る放射線画像撮影システムにおいて、請求項４に記載したように、前記放射線画像撮影装置は、前記接続装置が接続されており、かつ前記内蔵電源の残電力量が第１閾値以下の場合、前記接続装置に給電要求を送信し、前記残電力量が前記第１閾値より大きな第２閾値以上の場合、前記接続装置に給電停止要求を送信する送信手段を更に備え、前記接続装置は、前記放射線画像撮影装置から前記給電要求を受信した場合、前記電力供給電源から前記放射線検出器への駆動用の電力の供給と前記内蔵電源への充電用の電力の供給の少なくとも一方を行い、前記放射線画像撮影装置から前記給電停止要求を受信した場合、当該電力の供給を停止させるように制御する制御手段を更に備えても良い。これにより、可搬性を損なうことなく、撮影枚数を増加させることができる、という効果を奏する。
【００１５】
また、本発明に係る放射線画像撮影システムにおいて、請求項５に記載したように、前記接続装置は、前記電力供給電源の残電力量が閾値以上の場合、前記電力供給電源から前記放射線検出器への駆動用の電力の供給と前記内蔵電源への充電用の電力の供給の少なくとも一方を行うように制御する制御手段を更に備えても良い。これにより、可搬性を損なうことなく、撮影枚数を増加させることができる、という効果を奏する。
【００１６】
また、本発明に係る放射線画像撮影システムにおいて、請求項６に記載したように、前記切替手段は、前記接続装置の前記第１接続部に対する接続方向に応じて前記放射線検出器への駆動用の電力の供給／非供給を切り替えるようにしても良い。これにより、可搬性を損なうことなく、撮影枚数を増加させることができる、という効果を奏する。
【００１７】
また、本発明に係る放射線画像撮影システムにおいて、請求項７に記載したように、前記接続装置は、予め定められた情報を表示するための表示手段をさらに備えるようにしても良い。これにより、可搬性を損なうことなく、撮影枚数を増加させることができる、という効果を奏する。
【００１８】
また、本発明に係る放射線画像撮影システムにおいて、請求項８に記載したように、前記接続装置は、前記第１接続部に接続されている際に当該接続部位周辺の密閉性を有するようにしても良い。これにより、可搬性を損なうことなく、撮影枚数を増加させることができる、という効果を奏する。
【００１９】
一方、上記目的を達成するために、請求項９に記載の接続装置は、放射線画像を検出する放射線検出器、前記放射線検出器の駆動用の電力を供給すると共に充電可能に構成された内蔵電源、検出された前記放射線画像を示す放射線画像情報を外部装置に送信する無線通信部、及び、外部装置に接続するケーブルに設けられた外部接続コネクタが接続される有線接続用の第１接続部を備えた放射線画像撮影装置に接続される接続装置であって、前記放射線画像撮影装置の当該第１接続部に接続可能に構成された第２接続部と、前記外部接続コネクタと形状及び寸法の仕様を同一としたコネクタを有し、当該第２接続部が前記第１接続部に接続された状態で前記放射線検出器への駆動用の電力の供給と前記内蔵電源への充電用の電力の供給の少なくとも一方を行う電力供給電源と、前記電力供給電源から前記放射線検出器への駆動用の電力の供給／非供給を切り替える切替手段と、を備えている。
【００２０】
従って、請求項９に記載の接続装置によれば、請求項１に記載の発明と同様に作用するので、請求項１に記載の発明と同様に、可搬性を損なうことなく、撮影枚数を増加させることができる、という効果を奏する。
【００２１】
また、本発明に係る接続装置において、請求項１０に記載したように、前記接続装置は、前記放射線画像撮影装置から給電要求を受信した場合、前記電力供給電源から前記放射線検出器への駆動用の電力の供給と前記内蔵電源への充電用の電力の供給の少なくとも一方を行い、前記放射線画像撮影装置から給電停止要求を受信した場合、当該電力の供給を停止させるように制御する制御手段を更に備えても良い。これにより、可搬性を損なうことなく、撮影枚数を増加させることができる、という効果を奏する。
【００２５】
一方、上記目的を達成するために、請求項１１に記載のプログラムは、コンピュータを、放射線画像を検出する放射線検出器、前記放射線検出器の駆動用の電力を供給すると共に充電可能に構成された内蔵電源、及び検出された前記放射線画像を示す放射線画像情報を外部装置に送信する無線通信部を備えた放射線画像撮影装置に設けられた、外部装置に接続するケーブルに設けられた外部接続コネクタが接続される有線接続用の第１接続部に、接続装置に設けられた、前記外部接続コネクタと形状及び寸法の仕様を同一としたコネクタを有する第２接続部が接続されたことを検出する検出手段と、前記検出手段により前記接続装置の第２接続部の接続が検出された場合に、前記放射線検出器への駆動用の電力の供給と前記内蔵電源への充電用の電力の供給の少なくとも一方を行うように制御する制御手段と、電力供給電源から前記放射線検出器への駆動用の電力の供給／非供給を切り替える切替手段と、として機能させるためのプログラムである。
【００２６】
従って、請求項１１に記載のプログラムによれば、コンピュータを請求項１に記載の発明と同様に作用させることができるので、請求項１に記載の発明と同様に、可搬性を損なうことなく、撮影枚数を増加させることができる、という効果を奏する。
【００２７】
また、上記目的を達成するために、請求項１２に記載の給電方法は、放射線画像を検出する放射線検出器、前記放射線検出器の駆動用の電力を供給すると共に充電可能に構成された内蔵電源、及び検出された前記放射線画像を示す放射線画像情報を外部装置に送信する無線通信部を備えた放射線画像撮影装置に設けられた、外部装置に接続するケーブルに設けられた外部接続コネクタが接続される有線接続用の第１接続部に、接続装置に設けられた、前記外部接続コネクタと形状及び寸法の仕様を同一としたコネクタを有する第２接続部が接続されたことを検出する検出ステップと、前記検出ステップにより前記接続装置の第２接続部の接続が検出された場合に、前記放射線検出器への駆動用の電力の供給と前記内蔵電源への充電用の電力の供給の少なくとも一方を行うように制御する制御ステップと、電力供給電源から前記放射線検出器への駆動用の電力の供給／非供給を切り替える切替ステップと、を備えた接続装置の給電方法である。
【００２８】
従って、請求項１２に記載の給電方法によれば、請求項１に記載の発明と同様に作用することができるので、請求項１に記載の発明と同様に、可搬性を損なうことなく、撮影枚数を増加させることができる、という効果を奏する。
【発明の効果】
【００２９】
本発明によれば、可搬性を損なうことなく、撮影枚数を増加させることができる、という効果を奏する。
【図面の簡単な説明】
【００３０】
【図１】実施の形態に係る放射線画像撮影システムが適用される検査システムの構成を示すブロック図である。
【図２】実施の形態に係る電子カセッテおよび通信ケーブルの構成および当該通信ケーブルの電子カセッテへの接続方法を示す正面図である。
【図３】実施の形態に係るダミー・コネクタの構成および電子カセッテへの接続方法を示す正面図である。
【図４Ａ】第１の実施の形態に係る電子カセッテ及びダミー・コネクタの電気系の要部構成と、ダミー・コネクタの電子カセッテへの接続方法を示すブロック図（一部回路図）である。
【図４Ｂ】実施の形態に係る電子カセッテにおいてスイッチ操作に関わる要部構成を示すブロック図である。
【図５】第１の実施の形態に係る給電要求処理プログラムの処理の流れを示すフローチャートである。
【図６】第１の実施の形態に係るスイッチ操作時処理プログラムの処理の流れを示すフローチャートである。
【図７】第１の実施の形態に係る給電処理プログラムの処理の流れを示すフローチャートである。
【図８】第１の実施の形態に係るダミー・コネクタの表示部における表示内容の一例を示す図である。
【図９】第２の実施の形態に係る給電要求処理プログラムの処理の流れを示すフローチャートである。
【図１０】第２の実施の形態に係る給電処理プログラムの処理の流れを示すフローチャートである。
【図１１】第３の実施の形態に係るダミー・コネクタの構成例を示す正面図である。
【図１２】第３の実施の形態に係る電子カセッテ及びダミー・コネクタの電気系の要部構成と、ダミー・コネクタの電子カセッテへの接続方法を示すブロック図（一部回路図）である。
【図１３Ａ】第３の実施の形態に係るダミー・コネクタの電子カセッテへの接続方法を示す正面図である。
【図１３Ｂ】第３の実施の形態に係るダミー・コネクタの電子カセッテへの接続方法を示す正面図である。
【発明を実施するための形態】
【００３１】
以下、図面を参照して、本発明を実施するための形態について詳細に説明する。なお、ここでは、本発明を、可搬型の放射線画像撮影装置（以下、「電子カセッテ」という。）を用いて放射線画像の撮影を行う放射線画像撮影システムに適用した場合の形態例について説明する。
【００３２】
［第１の実施の形態］
図１には、本実施の形態に係る放射線画像撮影システム１０が適用される検査システム１１の概略構成の一例が示されている。
【００３３】
同図に示すように、本実施の形態に係る放射線画像撮影システム１０は、放射線（本実施の形態では、Ｘ線）画像を撮影するための撮影室（以下、「Ｘ線室」という。）に設置されており、撮影制御装置（以下、「コンソール」という。）９０、放射線発生装置９２、および電子カセッテ３２が備えられている。
【００３４】
コンソール９０は、電子カセッテ３２と無線通信が可能に構成されている。また、コンソール９０と電子カセッテ３２とは通信ケーブル４３を介して有線接続された状態で、有線通信が可能となっている。
【００３５】
コンソール９０は、有線通信方式および無線通信方式のいずれかの通信方式で通信を行って、制御信号を伝送することにより電子カセッテ３２に対して様々な制御を行う。また、コンソール９０は、通信ケーブル９４を介して放射線発生装置９２と接続されており、放射線を発生するタイミングを制御する。
【００３６】
コンソール９０の制御に基づいたタイミングで、放射線発生装置９２は、放射線を被写体１２に照射する。放射線発生装置９２から照射された放射線は、被写体１２を透過して電子カセッテ３２に照射される。電子カセッテ３２は、照射された放射線から放射線画像を示す画像データを生成する。生成された画像データは、有線通信または無線通信によりコンソール９０に送信される。
【００３７】
図２には、本実施の形態に係る電子カセッテ３２および通信ケーブル４３の構成および当該通信ケーブル４３の電子カセッテ３２への接続方法を示す正面図が示されている。
【００３８】
本実施の形態に係る電子カセッテ３２は、誤操作の防止および密閉性の確保のため、電源スイッチが設けられていない一方、通信ケーブル４３に設けられたコネクタ４３Ａが接続可能とされた接続部３２Ｂが設けられている。
【００３９】
なお、本実施の形態に係る電子カセッテ３２は、内蔵された電力駆動する各部（後述する放射線検出器等）に対して内蔵電源６０から常時電力が供給される一方、通信ケーブル４３のコネクタ４３Ａが接続部３２Ｂに接続されている場合には、内蔵電源６０から上記各部への電力供給が遮断されると共に、当該通信ケーブル４３を介して当該各部への駆動用の電力が供給される。
【００４０】
図３に示すように、本実施の形態に係る電子カセッテ３２には、接続部３２Ｂに接続可能に構成されたダミー・コネクタ５０が用意されている。本実施の形態では、電子カセッテ３２及びダミー・コネクタ５０を備えたシステムを放射線画像撮影システム１０とする。
【００４１】
ダミー・コネクタ５０は、電子カセッテ３２の接続部３２Ｂに接続されることにより、電子カセッテ３２の内蔵電源６０から各部への電力供給を遮断することができる。なお、本実施の形態に係るダミー・コネクタ５０は、通信ケーブル４３のコネクタ４３Ａと形状及び寸法等の仕様が同一で、ケーブルを有さず、電子カセッテ３２に接続された状態で電子カセッテ３２の接続部３２Ｂを密閉する。
【００４２】
また、ダミー・コネクタ５０には、スイッチ５２が設けられている。スイッチ５２は、例えばトグルスイッチであり、押圧により第１の状態及び第２の状態が交互に切り替えられる。なお、スイッチ５２はトグルスイッチに限定されず、任意のスイッチであって良い。
【００４３】
図４Ａには、本実施の形態に係る電子カセッテ３２の電気系の要部構成が示されている。
【００４４】
同図に示すように、本実施の形態に係る電子カセッテ３２は、ＴＦＴ（Thin Film Transistor）基板２１上に光吸収性の低い接着樹脂等を用いて図示しないシンチレータが貼り付けられた放射線検出器２０を備えている。
【００４５】
ＴＦＴ基板２１には、上記シンチレータが発する光を吸収して電荷を発生するセンサ部２２Ａ、センサ部２２Ａにおいて発生した電荷を蓄積するコンデンサ２２Ｂ、およびコンデンサ２２Ｂに蓄積された電荷を電気信号に変替して出力する電界効果型薄膜トランジスタ（以下、単に「薄膜トランジスタ」という。）２２Ｃを含んで構成される画素２２が一定方向（図４Ａの行方向）、および当該一定方向に対する交差方向（図４Ａの列方向）に２次元状に複数設けられている。
【００４６】
また、放射線検出器２０には、上記一定方向（行方向）に延設され、各薄膜トランジスタ２２Ｃをオン・オフさせるための複数本のゲート配線２７と、上記交差方向（列方向）に延設され、オン状態の薄膜トランジスタ２２Ｃを介して電荷を読み出すための複数本のデータ配線２８と、が設けられている。放射線検出器２０は、平板状で、かつ平面視において外縁に４辺を有する四辺形状、より具体的には、矩形状に形成されている。
【００４７】
放射線検出器２０は、隣り合う２辺の一辺側にゲート線ドライバ２３が配置され、他辺側に信号処理部２４が配置されている。ＴＦＴ基板２１の個々のゲート配線２７はゲート線ドライバ２３に接続され、ＴＦＴ基板２１の個々のデータ配線２８は信号処理部２４に接続されている。
【００４８】
また、電子カセッテ３２の筐体３２Ａの内部には、画像メモリ２５と、カセッテ制御部２６と、無線通信部２７と、を備えている。
【００４９】
ＴＦＴ基板２１の各薄膜トランジスタ２２Ｃは、ゲート線ドライバ２３からゲート配線２７を介して供給される信号により行単位で順にオンされ、オン状態とされた薄膜トランジスタ２２Ｃによって読み出された電荷は、電気信号としてデータ配線２８を伝送されて信号処理部２４に入力される。これにより、電荷は行単位で順に読み出され、二次元状の放射線画像が取得可能となる。
【００５０】
図示は省略するが、信号処理部２４は、個々のデータ配線２８毎に、入力される電気信号を増幅する増幅回路およびサンプルホールド回路を備えており、個々のデータ配線２８を伝送された電気信号は増幅回路で増幅された後にサンプルホールド回路に保持される。また、サンプルホールド回路の出力側にはマルチプレクサ、Ａ／Ｄ（アナログ／デジタル）変換器が順に接続されており、個々のサンプルホールド回路に保持された電気信号はマルチプレクサに順に（シリアルに）入力され、Ａ／Ｄ変換器によってデジタルの画像データへ変換される。
【００５１】
信号処理部２４には画像メモリ２５が接続されており、信号処理部２４のＡ／Ｄ変換器から出力された画像データは画像メモリ２５に順に記憶される。画像メモリ２５は所定枚分の画像データを記憶可能な記憶容量を有しており、放射線画像の撮影が行われる毎に、撮影によって得られた画像データが画像メモリ２５に順次記憶される。
【００５２】
画像メモリ２５はカセッテ制御部２６と接続されている。カセッテ制御部２６はマイクロコンピュータを含んで構成され、ＣＰＵ（中央処理装置）２６Ａと、ＲＯＭ（Read Only Memory）及びＲＡＭ（Random Access Memory）を含むメモリ２６Ｂと、フラッシュメモリ等からなる不揮発性の記憶部２６Ｃとを備えており、電子カセッテ３２全体の動作を総括的に制御する。
【００５３】
さらに、カセッテ制御部２６には無線通信部２７が接続されている。無線通信部２７は、ＩＥＥＥ（Institute of Electrical and Electronics Engineers）８０２．１１ａ／ｂ／ｇ等に代表される無線ＬＡＮ（Local Area Network）規格に対応しており、無線通信による外部機器との間での各種情報の伝送を制御する。カセッテ制御部２６は、無線通信部２７を介して、コンソール９０などの外部装置と無線通信が可能とされており、コンソール９０等との間で各種情報の送受信が可能とされている。
【００５４】
また、電子カセッテ３２には前述した内蔵電源６０が設けられており、各種回路や各種素子（ゲート線ドライバ２３、信号処理部２４、画像メモリ２５、無線通信部２７、カセッテ制御部２６として機能するマイクロコンピュータ等）は、内蔵電源６０から供給された電力によって作動する。内蔵電源６０は、電子カセッテ３２の可搬性を損なわないように、バッテリ（充電可能な二次電池）を内蔵しており、充電されたバッテリから各種回路・素子へ電力を供給する。
【００５５】
一方、ダミー・コネクタ５０には、ＣＰＵ５１、ＲＯＭ５３、およびＲＡＭ５４が備えられると共に、表示部５６に接続された表示制御部５５、およびスイッチ５２に接続されたインタフェース（Ｉ／Ｆ）５７が備えられており、これら各部はシステム・バスにより相互かつ電気的に接続されている。従って、ＣＰＵ５１は、ＲＯＭ５３およびＲＡＭ５４へのアクセス、表示部５６に対する各種情報の表示、及びスイッチ５２の状態に応じて電子カセッテ３２の内蔵電源６０への充電や放射線検出器２０への給電の制御等を行うことができる。
【００５６】
本実施の形態では、スイッチ５２の押圧に応じて、放射線検出器２０への給電を行うか否かの状態が「給電」、「非給電」で交互に変更される。Ｉ／Ｆ５７は、スイッチ５２の状態が切り替えられた際に、切り替えられたことを示す切替信号をＣＰＵ５１に対して送信する。
【００５７】
また、ダミー・コネクタ５０は、接続部５０Ｂに接続されたＩ／Ｆ５８が備えられており、当該Ｉ／Ｆ５８もまた上記システム・バスに接続されている。従って、ＣＰＵ５１は、ダミー・コネクタが電子カセッテ３２に接続されている場合における接続部５０Ｂを介した電子カセッテ３２との各種情報の授受を行うことができる。
【００５８】
さらに、ダミー・コネクタ５０は、電力供給電源５９を備えていて、各種回路や各種素子（ＣＰＵ５１、スイッチ５２、ＲＯＭ５３、ＲＡＭ５４、表示制御部５５、表示部５６等）は、電力供給電源５９から供給された電力によって作動する。
【００５９】
ところで、本実施の形態に係る放射線画像撮影システム１０では、ダミー・コネクタ５０が電子カセッテ３２に接続された状態で、ダミー・コネクタ５０に設けられた電力供給電源５９からの電力が、電子カセッテ３２の放射線検出器２０および内蔵電源６０に選択的に供給できるように構成されている。
【００６０】
このため、本実施の形態に係る電子カセッテ３２には、図４Ｂに示される切替部７０が備えられている。
【００６１】
同図に示すように、本実施の形態に係る切替部７０は、２つのスイッチＳＷ１およびスイッチＳＷ２が備えられると共に、ＣＰＵ２６Ａと電気的に接続されている。従って、スイッチＳＷ１およびスイッチＳＷ２は、ＣＰＵ２６Ａによって個別に開閉状態を設定することができる。
【００６２】
ここで、スイッチＳＷ１およびスイッチＳＷ２の各々の一方の端子は、ダミー・コネクタ５０が接続された状態で当該ダミー・コネクタ５０の電力供給電源５９の電力出力端子に接続部３２Ｂを介して電気的に接続される。
【００６３】
一方、スイッチＳＷ１の他方の端子は放射線検出器２０の電力入力端子に電気的に接続される一方、スイッチＳＷ２の他方の端子は内蔵電源６０の充電用の電力入力端子に電気的に接続されている。
【００６４】
また、電子カセッテ３２のＣＰＵ２６Ａは、ダミー・コネクタ５０のＣＰＵ５１に接続部３２Ｂを介して電気的に接続されている。従って、ＣＰＵ５１は、電子カセッテ３２のＣＰＵ２６Ａを介して切替部７０の各スイッチＳＷ１，ＳＷ２の開閉状態を設定することができる。
【００６５】
ここで、ＣＰＵ５１は、電力供給電源５９からの電力を放射線検出器２０および内蔵電源６０の双方に供給する場合は、ＣＰＵ２６Ａを介して、切替部７０のスイッチＳＷ１，ＳＷ２の双方を接続状態とする。一方、ＣＰＵ５１は、電力供給電源５９からの電力を放射線検出器２０のみに供給する場合は、ＣＰＵ２６Ａを介して、切替部７０のスイッチＳＷ１を接続状態とする一方、スイッチＳＷ２を開放状態とする。更に、ＣＰＵ５１は、電力供給電源５９からの電力を内蔵電源６０のみに供給する場合は、ＣＰＵ２６Ａを介して、切替部７０のスイッチＳＷ１を開放状態とする一方、スイッチＳＷ２を接続状態とする。
【００６６】
なお、この構成では、スイッチ５２の切替情報や、電子カセッテ３２の作動状態を示す情報等の各種情報を表示部５６により表示することができるため、より利便性を向上させることができる。
【００６７】
次に、本実施の形態に係る放射線画像撮影システム１０の作用を説明する。まず、図４を参照して、本実施の形態に係る電子カセッテ３２の放射線画像の撮影時における作用を説明する。
【００６８】
本実施の形態に係る電子カセッテ３２は、放射線画像の撮影を行う場合、放射線発生装置９２と間隔を空けて配置され、撮影領域上に被写体１２の撮影対象部位が配置される。その後、放射線発生装置９２は予め与えられた撮影条件等に応じた放射線量の放射線を射出する。
【００６９】
放射線発生装置９２から射出された放射線は、撮影対象部位を透過することで画像情報を担持した後に電子カセッテ３２に照射される。これにより、電子カセッテ３２に内蔵された放射線検出器２０の各センサ部２２Ａには照射された放射線の線量に応じた電荷が発生し、コンデンサ２２Ｂにはセンサ部２２Ａで発生した電荷が蓄積される。
【００７０】
カセッテ制御部２６は、放射線の照射終了後に、ゲート線ドライバ２３を制御し、ゲート線ドライバ２３から放射線検出器２０の各ゲート配線２７に１ラインずつ順にオン信号を出力させて画像情報の読み出しを行う。放射線検出器２０から読み出された画像情報は上記Ａ／Ｄ変換器によってデジタルの画像データに変換され、画像メモリ２５に記憶された後、無線通信部２７を介して無線にてコンソール９０に送信される。
【００７１】
一方、本実施の形態に係る電子カセッテ３２には、上述したように、コネクタ３２Ｂに接続可能に構成されたダミー・コネクタ５０が用意されている。ダミー・コネクタ５０は、電力供給電源５９を内蔵しており、電子カセッテ３２に接続されることにより、当該電力供給電源５９から電子カセッテ３２の放射線検出器２０および内蔵電源６０に給電することができる。
【００７２】
ここで、ダミー・コネクタ５０のＲＡＭ５４には、電子カセッテ３２の放射線検出器２０に対して給電を行うか否かを示すステータスの情報が記憶される。ステータスの情報は、例えば、給電を行う場合には「給電」、給電を行わない場合には「給電停止」で表され、上記スイッチ５２の切り替えに応じて「給電」及び「給電停止」が交互に切り替えられる。
【００７３】
以下、図５を参照して、給電要求処理を実行する際の電子カセッテ３２の作用を説明する。なお、図５は、ダミー・コネクタ５０が電子カセッテ３２に接続された場合に当該電子カセッテ３２のＣＰＵ２６Ａにより実行される給電要求処理プログラムの処理の流れを示すフローチャートであり、当該プログラムは記録媒体であるＲＯＭ５３の所定領域に予め記憶されている。
【００７４】
まず、ステップＳ１０１において、ＣＰＵ２６Ａは、ダミー・コネクタ５０が電子カセッテ３２に接続されたか否かを判定する。ダミー・コネクタ５０が電子カセッテ３２に接続された際に、ダミー・コネクタ５０が識別信号を送信する。ＣＰＵ２６Ａは、この識別信号を受信することで、電子カセッテ３２にダミー・コネクタ５０が接続されたことを認識する。
【００７５】
ステップＳ１０１においてダミー・コネクタ５０が接続されたと判定された場合は、ステップＳ１０３において、ＣＰＵ２６Ａは、内蔵電源６０の内蔵電源残電力量が第１閾値以下であるか否かを判定する。この第１閾値は、充電を行うか否かを判断するための基準とするための閾値であり、予めメモリ２６Ｂに記憶されている。
【００７６】
ステップＳ１０３において内蔵電源残電力量が第１閾値以下であると判定された場合は、ステップＳ１０５において、ＣＰＵ２６Ａは、ダミー・コネクタ５０に対して給電要求情報を送信した後、後述するステップＳ１０７に移行する。この給電要求情報を受信したダミー・コネクタ５０は、電子カセッテ３２に対して給電を行う。一方で、ステップＳ１０３において内蔵電源残電力量が第１閾値以下でないと判定された場合は、ステップＳ１０７に移行する。
【００７７】
ステップＳ１０７において、ＣＰＵ２６Ａは、内蔵電源６０の内蔵電源残電力量が第１閾値より大きい値である第２閾値以上であるか否かを判定する。この第２閾値は、充電を終了した方が良いか否かを判断するための基準とするための閾値（例えば満充電を示す閾値）であり、予めメモリ２６Ｂに記憶されている。
【００７８】
ステップＳ１０７において内蔵電源残電力量が第２閾値以上であると判定された場合は、ステップＳ１０９において、ＣＰＵ２６Ａは、ダミー・コネクタ５０に対して給電停止要求情報を送信した後、後述するステップＳ１１３に移行する。この給電停止要求情報を受信したダミー・コネクタ５０は、電子カセッテ３２に対する給電を停止させる。一方、ステップＳ１０７において内蔵電源残電力量が第２閾値以上でないと判定された場合は、ＣＰＵ２６Ａは、ステップＳ１１３に移行する。
【００７９】
ステップＳ１１３において、ＣＰＵ２６Ａは、ダミー・コネクタ５０が電子カセッテ３２から取り外されたか否かを判定する。この際、ダミー・コネクタ５０が電子カセッテ３２に接続されている間は、電子カセッテ３２がダミー・コネクタ５０に対して所定時間毎に確認信号を送信するので、ＣＰＵ５１は、この確認信号を受信しなくなることで、電子カセッテ３２から離脱したことを認識する。
【００８０】
ステップＳ１１３において取り外されていないと判定された場合は上記ステップＳ１０３に戻る一方、ステップＳ１１３において取り外されたと判定された場合は、ＣＰＵ２６Ａは、本給電要求処理プログラムを終了する。
【００８１】
一方、ダミー・コネクタ５０は、ユーザ操作によるスイッチ５２の切り替えに際して、スイッチ操作時処理を実行する。図６を参照して、このスイッチ操作時処理を実行する際のダミー・コネクタ５０の作用を説明する。なお、図６は、ダミー・コネクタ５０が電子カセッテ３２に接続された場合に当該ダミー・コネクタ５０のＣＰＵ５１により実行されるスイッチ操作時処理プログラムの処理の流れを示すフローチャートであり、当該プログラムは記録媒体であるＲＯＭ５３の所定領域に予め記憶されている。
【００８２】
まず、ステップＳ２０１において、ＣＰＵ５１は、スイッチ５２が切り替えられたか否かを判定する。この際、ＣＰＵ５１は、スイッチ５２から切替信号を受信した際に、スイッチ５２が切り替えられたと判定する。
【００８３】
ステップＳ２０１においてスイッチが切り替えられたと判定された場合は、ステップＳ２０３において、ＣＰＵ５１は、ステータスが給電状態か否かを判定する。ステータスは、放射線検出器２０に対して給電を行うか否かを決定するための情報であり、例えば給電を行う場合は「給電」、給電を行わない場合は「給電停止」で示される。
【００８４】
ステップＳ２０３においてステータスが「給電」であると判定された場合、ステップＳ２０５において、ＣＰＵ５１は、ステータスを切り替えるために、ステータスを「給電停止」に設定した後、ステップＳ２０９に移行する。一方、ステップＳ２０３においてステータスが「給電」でないと判定された場合、ステータスが「給電停止」であるものと見なして、ステップＳ２０７に移行し、ＣＰＵ５１は、ステータスを「給電」に設定する。
【００８５】
ステップＳ２０９において、ＣＰＵ５１は、ダミー・コネクタ５０が電子カセッテ３２から取り外されたか否かを判定する。
【００８６】
ステップＳ２０９において取り外されていないと判定された場合は上記ステップＳ２０１に戻る一方、ステップＳ２０９において取り外されたと判定された場合は、ＣＰＵ２６Ａは、本スイッチ操作時処理プログラムを終了する。
【００８７】
次に、図７を参照して、給電処理を実行する際のダミー・コネクタ５０の作用を説明する。なお、図７は、ダミー・コネクタ５０が電子カセッテ３２に接続された場合に当該ダミー・コネクタ５０のＣＰＵ５１により実行される給電処理プログラムの処理の流れを示すフローチャートであり、当該プログラムは記録媒体であるＲＯＭ５３の所定領域に予め記憶されている。
【００８８】
まず、ステップＳ３０１において、ＣＰＵ５１は、ダミー・コネクタ５０が電子カセッテ３２に接続されたか否かを判定する。この際、ＣＰＵ５１は、電子カセッテ３２から確認信号を受信した場合に、電子カセッテ３２に接続されたものと判定する。
【００８９】
ステップＳ３０１においてダミー・コネクタ５０が接続されたと判定された場合は、ステップＳ３０３において、ＣＰＵ５１は、ステップＳ１０５にて電子カセッテ３２から送信された給電要求情報を受信したか否かを判定する。ステップＳ３０３において給電要求情報を受信したと判定された場合は、ステップＳ３０５において、ＣＰＵ５１は、電子カセッテ３２の内蔵電源６０に対して充電を行うようにＣＰＵ２６Ａを介して切替部７０を制御する。
【００９０】
そして、ステップＳ３０６において、ＣＰＵ５１は、内蔵電源６０を充電している旨を表示制御部５５を介して表示部５６に表示させる。図８は、本第１の実施の形態に係るダミー・コネクタ５０の表示部５６における表示内容の一例を示す図である。図８に示すように、表示部５６に例えば「内蔵電池：充電中」の文字列が表示される。
【００９１】
また、ステップＳ３０３において給電要求情報を受信していないと判定された場合は、ステップＳ３０７に移行する。
【００９２】
次に、ステップＳ３０７において、ＣＰＵ５１は、ステータスが「給電」であるか否かを判定する。ステップＳ３０７においてステータスが「給電」であった場合は、ステップＳ３０９において、ＣＰＵ５１は、電子カセッテ３２の放射線検出器２０に対して給電を行うようにＣＰＵ２６Ａを介して切替部７０を制御する。そして、ステップＳ３１０において、ＣＰＵ５１は、放射線検出器２０を給電している旨を表示制御部５５を介して表示部５６に表示させる。図８に示すように、表示部５６に例えば「放射線検出器：給電中」の文字列が表示される。
【００９３】
ステップＳ３０７においてステータスが「給電」でないと判定された場合は、ステップＳ３１１に移行する。
【００９４】
ステップＳ３１１において、ＣＰＵ５１は、ステップＳ１０９にて電子カセッテ３２から送信された給電停止要求情報を受信したか否かを判定する。ステップＳ３１１において給電停止要求情報を受信したと判定された場合は、ステップＳ３１３において、ＣＰＵ５１は、電子カセッテ３２の内蔵電源６０に対する給電を停止するようにＣＰＵ２６Ａを介して切替部７０を制御する。なお、この場合には、ステップＳ３０６における内蔵電源６０を充電している旨の表示を停止するが、「内蔵電源：非充電中」のように、充電していない旨の表示を行っても良い。
【００９５】
ステップＳ３１１において給電停止要求情報を受信していないと判定された場合は、ステップＳ３１５に移行する。
【００９６】
次に、ステップＳ３１５において、ＣＰＵ５１は、ステータスが「給電停止」であるか否かを判定する。ステップＳ３１５においてステータスが「給電停止」であった場合は、ステップＳ３１７において、ＣＰＵ５１は、電子カセッテ３２の放射線検出器２０に対する給電を停止するようにＣＰＵ２６Ａを介して切替部７０を制御する。なお、この場合には、ステップＳ３１７における放射線検出器２０に給電している旨の表示を停止するが、「放射線検出器：非給電中」のように、給電していない旨の表示を行っても良い。
【００９７】
ステップＳ３１５においてステータスが「給電停止」でない場合は、ステップＳ３１９に移行する。
【００９８】
ステップＳ３１９において、ＣＰＵ５１は、ダミー・コネクタ５０が電子カセッテ３２から取り外されたか否かを判定する。ステップＳ３１９において取り外されていないと判定された場合は上記ステップＳ３０３に戻る一方、ステップＳ３１９において取り外されたと判定された場合は、ＣＰＵ５１は、本給電処理プログラムを終了する。
【００９９】
このようにして本実施の形態に係る放射線画像撮影システム１０では、放射線画像を検出する放射線検出器２０の駆動用の電力を供給すると共に充電可能に構成された内蔵電源、６０および有線接続用の接続端子を有する接続部３２Ｂを備えた放射線画像撮影装置（電子カセッテ３２）と、当該接続部３２Ｂに接続可能に構成された接続部４３Ａを備えた接続装置（ダミー・コネクタ５０）により、電力供給電源５９から当該接続部４３Ａが前記接続部３２Ｂに接続された状態で前記放射線検出器２０への駆動用の電力の供給及び前記内蔵電源６０への充電用の電力の供給が制御される。
【０１００】
これにより、可搬性を損なうことなく、撮影枚数を増加させることができる、という効果を奏する。
【０１０１】
［第２の実施の形態］
以下、第２の実施の形態に係る放射線画像撮影システム１０について添付図面を参照して詳細に説明する。なお、本第２の実施の形態に係る放射線画像撮影システム１０は、第１の実施の形態に係る放射線画像撮影システム１０と同様に、図１乃至図４に示す構成を有しているため、当該構成に関して重複する説明を省略する。
【０１０２】
第１の実施の形態に係る放射線画像撮影システム１０では、電子カセッテ３２の内蔵電源６０の内蔵電源残電力量に応じて、ダミー・コネクタ５０が電子カセッテ３２に対して給電を行うが、第２実施形態に係る放射線画像撮影システム１０では、ダミー・コネクタ５０の電力供給電源５９の電力供給電源残電力量に応じて、ダミー・コネクタ５０が電子カセッテ３２に対して給電を行う。
【０１０３】
以下、図９を参照して、給電要求処理を実行する際の電子カセッテ３２の作用を説明する。なお、図９は、ダミー・コネクタ５０が電子カセッテ３２に接続された場合に当該電子カセッテ３２のＣＰＵ２６Ａにより実行される給電要求処理プログラムの処理の流れを示すフローチャートであり、当該プログラムは記録媒体であるＲＯＭ５３の所定領域に予め記憶されている。
【０１０４】
まず、ステップＳ４０１において、ＣＰＵ２６Ａは、ダミー・コネクタ５０が電子カセッテ３２に接続されたか否かを判定する。この際、ＣＰＵ２６Ａは、接続確認信号を受信した場合に、電子カセッテ３２に接続されたものと判定する。
【０１０５】
ステップＳ４０１においてダミー・コネクタ５０が接続されたと判定された場合は、ステップＳ４０３において、ＣＰＵ２６Ａは、内蔵電源６０の内蔵電源残電力量が第３閾値以上であるか否かを判定する。この第３閾値は、充電を完了すべきか否かを判断するための基準とするための閾値であり、予めメモリ２６Ｂに記憶されている。
【０１０６】
ステップＳ４０３において内蔵電源残電力量が第３閾値以上であると判定された場合は、ステップＳ４０５において、ＣＰＵ２６Ａは、ダミー・コネクタ５０に対して給電停止要求情報を送信する。この給電停止要求情報を受信したダミー・コネクタ５０は、電子カセッテ３２に対する給電を停止する。一方で、ステップＳ４０３において内蔵電源残電力量が第３閾値以上でないと判定された場合は、ＣＰＵ２６Ａは、後述するステップＳ４０９に移行する。
【０１０７】
ステップＳ４０９において、ＣＰＵ２６Ａは、ダミー・コネクタ５０が電子カセッテ３２から取り外されたか否かを判定する。ステップＳ４０９において取り外されていないと判定された場合は上記ステップＳ４０３に戻る一方、ステップＳ４０９において取り外されたと判定された場合は、ＣＰＵ２６Ａは、本給電要求処理プログラムを終了する。
【０１０８】
次に、図１０を参照して、給電処理を実行する際のダミー・コネクタ５０の作用を説明する。なお、図１０は、ダミー・コネクタ５０が電子カセッテ３２に接続された場合に当該ダミー・コネクタ５０のＣＰＵ５１により実行される給電処理プログラムの処理の流れを示すフローチャートであり、当該プログラムは記録媒体であるＲＯＭ５３の所定領域に予め記憶されている。
【０１０９】
まず、ステップＳ５０１において、ＣＰＵ５１は、ダミー・コネクタ５０が電子カセッテ３２に接続されたか否かを判定する。この際、ＣＰＵ５１は、接続確認信号を受信した場合に、電子カセッテ３２に接続されたものと判定する。
【０１１０】
ステップＳ５０１においてダミー・コネクタ５０が接続されたと判定された場合は、ステップＳ５０３において、ＣＰＵ５１は、電力供給電源５９の電力供給電源残電力量が第４閾値以上であるか否かを判定する。この第４閾値は、電子カセッテ３２に対する充電が十分行える状態であるか否かを判断するための基準とするための閾値であり、予めメモリ２６Ｂに記憶されている。
【０１１１】
ステップＳ５０５において、ＣＰＵ５１は、ステップＳ４０５にて電子カセッテ３２から送信された給電停止要求情報をすでに受信しているか否かを判定する。
【０１１２】
ステップＳ５０５において給電停止要求情報を受信していないと判定された場合は、ステップＳ５０７において、ＣＰＵ５１は、内蔵電源６０に対して充電を行うようにＣＰＵ２６Ａを介して切替部７０を制御する。そして、ステップＳ５０９において、ＣＰＵ５１は、内蔵電源６０を充電している旨を表示制御部５５を介して表示部５６に表示させる。図８に示すように、表示部５６に例えば「内蔵電池：充電中」の文字列が表示される。
【０１１３】
ステップＳ５０３において電力供給電源残電力量が第４閾値以上でないと判定された場合、及びステップＳ５０５において給電停止要求を受信済みであると判定された場合は、ステップＳ５１１に移行する。
【０１１４】
次に、ステップＳ５１１において、ＣＰＵ５１は、ステータスが「給電」であるか否かを判定する。ステップＳ５１１においてステータスが「給電」であった場合は、ステップＳ５１３において、ＣＰＵ５１は、電子カセッテ３２の放射線検出器２０に対して給電を行うようにＣＰＵ２６Ａを介して切替部７０を制御する。そして、ステップＳ５１５において、ＣＰＵ５１は、放射線検出器２０を給電している旨を表示制御部５５を介して表示部５６に表示させる。図８に示すように、表示部５６に例えば「放射線検出器：給電中」の文字列が表示される。
【０１１５】
ステップＳ５１１においてステータスが「給電」でないと判定された場合は、ステップＳ５１７に移行する。
【０１１６】
また、ステップＳ５１７において、ＣＰＵ５１は、給電停止要求情報を受信したか否かを判定する。ステップＳ５１７において給電停止要求情報を受信したと判定された場合は、ステップＳ５１９において、ＣＰＵ５１は、電子カセッテ３２の放射線検出器２０に対する給電を停止させるようにＣＰＵ２６Ａを介して切替部７０を制御する。
【０１１７】
ステップＳ５１７において給電停止要求情報を受信していないと判定された場合は、ステップＳ５２１に移行する。
【０１１８】
次に、ステップＳ５２１において、ＣＰＵ５１は、ステータスが「給電停止」であるか否かを判定する。ステップＳ５２１においてステータスが「給電停止」であった場合は、ステップＳ５２３において、ＣＰＵ５１は、電子カセッテ３２の放射線検出器２０に対する給電を停止させるようにＣＰＵ２６Ａを介して切替部７０を制御する。
【０１１９】
ステップＳ５２１において給電停止要求情報を受信していない場合は、ステップＳ５２５に移行する。
【０１２０】
ステップＳ５２５において、ＣＰＵ５１は、ダミー・コネクタ５０が電子カセッテ３２から取り外されたか否かを判定する。ステップＳ５２５において取り外されていないと判定された場合は上記ステップＳ５０３に戻る一方、ステップＳ５２５において取り外されたと判定された場合は、ＣＰＵ５１は、本給電処理プログラムを終了する。
【０１２１】
このようにして本実施の形態に係る放射線画像撮影システム１０では、放射線画像を検出する放射線検出器２０の駆動用の電力を供給すると共に充電可能に構成された内蔵電源、６０および有線接続用の接続端子を有する接続部３２Ｂを備えた放射線画像撮影装置（電子カセッテ３２）と、当該接続部３２Ｂに接続可能に構成された接続部４３Ａを備えた接続装置（ダミー・コネクタ５０）により、電力供給電源５９から当該接続部４３Ａが前記接続部３２Ｂに接続された状態で前記放射線検出器２０への駆動用の電力の供給と前記内蔵電源への充電用の電力の供給の少なくとも一方が行われる。
【０１２２】
［第３の実施の形態］
以下、第３の実施の形態に係る放射線画像撮影システム１０について添付図面を参照して詳細に説明する。なお、本第３の実施の形態に係る放射線画像撮影システム１０は、第１の実施の形態に係る放射線画像撮影システム１０と同様に、図１及び図２に示す構成を有しているため、当該構成に関して重複する説明を省略する。
【０１２３】
一方、図１１及び図１２に示すように、第３の実施の形態に係るダミー・コネクタ５０‘は、第１の実施の形態及び第２の実施形態のダミー・コネクタ５０からスイッチ５２（ＩＦ５７も同様）が削除されるとともに、電子カセッテ３２に接続された際に接続方向（端子の向き）を判定する方向判定手段６１を更に備えている。方向判定手段６１は、接続部４３Ｂが電子カセッテ３２の接続部３２Ｂに接続された際、接続方向を示す情報をＣＰＵ５１に送信する。
【０１２４】
ＣＰＵ５１は、方向判定手段６１から接続方向を示す情報を受信することで、電子カセッテ３２の接続部３２Ｂに接続される際の接続方向に応じて上記ステータスの給電／給電停止の切り替えを行う。すなわち、図１３Ａに示すように、ダミー・コネクタ５０’が接続部３２Ａに対して方向Ａの状態（表示部５６を正面に向けた状態）で接続された場合には、ステータスを「給電」に設定し、図１３Ｂに示すように、ダミー・コネクタ５０‘が接続部３２Ａに対して方向Ｂの状態（表示部５６を背面に向けた状態）で接続された場合には、ステータスを「給電停止」に設定する。
【０１２５】
そして、本第３の実施の形態に係る放射線画像撮影システム１０は、第１の実施の形態または第２の実施の形態に係る放射線画像撮影システム１０と同様に、図５に示す給電要求処理プログラム、図６に示すスイッチ操作時処理プログラム、図７に示す給電処理プログラム、図９に示す給電要求処理プログラム及び図１０に示す給電処理プログラムを実行する。
【０１２６】
このように、本第３の実施の形態に係るダミー・コネクタ５０‘では、スイッチ５２を設ける代わりに、電子カセッテ２３の接続部３２Ｂに対する接続方向を用いて、第１の実施の形態及び第２の実施の形態と同様の作用・効果を得ることができる。
【０１２７】
なお、第１の実施の形態及び第２の実施の形態では、表示部５６によって内蔵電池６０に対して充電中であるか、及び放射線検出器２０に対して給電中であるかの双方を表示させる場合について説明したが、これに限定されず、内蔵電源６０および電力供給電源５９の少なくとも一方の残電力容量、撮影対象とする患者に関する情報、撮影メニュー、エラー・メッセージ、放射線量、電子カセッテ３２による撮影レディ状態等の少なくとも１つを表示する形態としてもよい。
【０１２８】
また、上記実施の形態では、電力供給電源５９として充電可能な二次電池を用いた場合について説明したが、本発明はこれに限定されるものではなく、例えば、充電できない電池や太陽電池等の他の電池を適用する形態としてもよい。
【符号の説明】
【０１２９】
１０    放射線画像撮影システム
２０    放射線検出器
２６    カセッテ制御部
２６Ａ    ＣＰＵ
２７    無線通信部
３２    電子カセッテ
３２Ｂ    接続部
４３    通信ケーブル
４３Ａ    コネクタ
４３Ｂ    ケーブル本体
４３Ｃ    接続部
５０，５０’    ダミー・コネクタ
５０Ｂ    接続部
５１    ＣＰＵ
５２    スイッチ
５６    表示部
５９    電力供給電源
６０    内蔵電源
【図１】
0005964558.tif 000002
【図２】
0005964558.tif 000003
【図３】
0005964558.tif 000004
【図４Ａ】
0005964558.tif 000005
【図４Ｂ】
0005964558.tif 000006
【図５】
0005964558.tif 000007
【図６】
0005964558.tif 000008
【図７】
0005964558.tif 000009
【図８】
0005964558.tif 000010
【図９】
0005964558.tif 000011
【図１０】
0005964558.tif 000012
【図１１】
0005964558.tif 000013
【図１２】
0005964558.tif 000014
【図１３Ａ】
0005964558.tif 000015
【図１３Ｂ】
0005964558.tif 000016